(57)【要約】【課題】周波数帯域の一部のみを使用して信号の送受信を行うことができ、かつ、循環遅延量差が小さい場合でも送受信性能が高い無線送受信システム、無線送信装置、無線受信装置及びインターリーブ方法を提供する。【解決手段】無線送信装置は、複数の送信アンテナから送信される信号間に循環遅延を与える循環遅延送信ダイバーシチ手段と、複数の送信アンテナに与える循環遅延周期に応じてサブキャリア毎のインターリーブをサブチャネル内で行うインターリーブ手段とを有する。また、無線受信装置は、循環遅延送信ダイバーシチの循環遅延周期に応じてサブキャリア毎のデインターリーブをサブチャネル内で行うデインターリーブ手段を有する。【選択図】図１
2007228547.tif 000002
【特許請求の範囲】
【請求項１】
複数の送信アンテナと、
マルチキャリア信号を生成するマルチキャリア信号生成手段とを有する無線送信装置と、
受信アンテナと、
マルチキャリア信号を復調する復調手段とを有する無線受信装置と、
を備える無線送受信システムにおいて、
前記無線送信装置は、
前記複数の送信アンテナから送信されるマルチキャリア信号間に循環遅延を与える循環遅延送信ダイバーシチ手段と、
前記複数の送信アンテナに与える循環遅延周期に応じてサブキャリア毎のインターリーブをサブチャネル内で行うインターリーブ手段とを有し、
前記無線受信装置は、
前記循環遅延送信ダイバーシチの循環遅延周期に応じてサブキャリア毎のデインターリーブをサブチャネル内で行うデインターリーブ手段を有することを特徴とする無線送受信システム。
【請求項２】
複数の送信アンテナと、
マルチキャリア信号を生成するマルチキャリア信号生成手段とを有する無線送信装置と、
受信アンテナと、
マルチキャリア信号を復調する復調手段とを有する無線受信装置と、
を備える無線送受信システムにおいて、
前記無線送信装置は、
前記複数の送信アンテナから送信されるマルチキャリア信号間に循環遅延を与える循環遅延送信ダイバーシチ手段と、
前記送信信号の送信先である各無線受信装置毎に割り当てられた１つ以上のサブチャネル内で、前記複数の送信アンテナに与える循環遅延送信ダイバーシチの循環遅延周期に応じて１つ以上のサブキャリア単位でインターリーブを行う第１のインターリーブ手段と、
前記複数の送信アンテナに与える循環遅延周期に応じてサブキャリア毎のインターリーブをサブチャネル内で行う第２のインターリーブ手段とを有し、
前記無線受信装置は、
前記循環遅延送信ダイバーシチの循環遅延周期に応じてサブキャリア毎のデインターリーブをサブチャネル内で行う第１のデインターリーブ手段と、
受信する帯域に割り当てられたサブチャネル内で、前記循環遅延送信ダイバーシチの循環遅延周期に応じて１つ以上のサブキャリア単位でデインターリーブを行う第２のデインターリーブ手段とを有することを特徴とする無線送受信システム。
【請求項３】
複数の送信アンテナと、
マルチキャリア信号を生成するマルチキャリア信号生成手段とを有する無線送信装置において、
前記複数の送信アンテナから送信されるマルチキャリア信号間に循環遅延を与える循環遅延送信ダイバーシチ手段と、
前記複数の送信アンテナに与える循環遅延周期に応じてサブキャリア毎のインターリーブをサブチャネル内で行うインターリーブ手段と、
を有することを特徴とする無線送信装置。
【請求項４】
複数の送信アンテナと、
マルチキャリア信号を生成するマルチキャリア信号生成手段とを有する無線送信装置において、
前記複数の送信アンテナから送信されるマルチキャリア信号間に循環遅延を与える循環遅延送信ダイバーシチ手段と、
前記送信信号の送信先である各無線受信装置毎に割り当てられた１つ以上のサブチャネル内で、前記複数の送信アンテナに与える循環遅延送信ダイバーシチの循環遅延周期に応じて１つ以上のサブキャリア単位でインターリーブを行う第１のインターリーブ手段と、
前記複数の送信アンテナに与える循環遅延周期に応じてサブキャリア毎のインターリーブをサブチャネル内で行う第２のインターリーブ手段と、
を有することを特徴とする無線送信装置。
【請求項５】
受信アンテナと、
マルチキャリア信号を復調する復調手段とを有する無線受信装置において、
前記循環遅延送信ダイバーシチの循環遅延周期に応じてサブキャリア毎のデインターリーブをサブチャネル内で行うデインターリーブ手段を有することを特徴とする無線受信装置。
【請求項６】
受信アンテナと、
マルチキャリア信号を復調する復調手段とを有する無線受信装置において、
前記循環遅延送信ダイバーシチの循環遅延周期に応じてサブキャリア毎のデインターリーブをサブチャネル内で行う第１のデインターリーブ手段と、
受信する帯域に割り当てられたサブチャネル内で、前記循環遅延送信ダイバーシチの循環遅延周期に応じて１つ以上のサブキャリア単位でデインターリーブを行う第２のデインターリーブ手段と、
を有することを特徴とする無線受信装置。
【請求項７】
マルチキャリア信号を生成するマルチキャリア信号生成手段と、
前記マルチキャリア信号を送信する複数の送信アンテナとを有する無線送信装置において、
前記マルチキャリア信号生成手段が生成したマルチキャリア信号に含まれるサブキャリアを、単一の入力サブグループに含まれるサブキャリアが同一の出力サブグループに含まれないようにインターリーブするサブキャリアインターリーブ手段と、
前記出力サブグループ毎に異なる位相回転を与える送信ダイバーシチ手段と、
前記送信ダイバーシチ手段が異なる位相回転を与えた出力サブグループを前記複数の送信アンテナから送信する送信手段と、
を有することを特徴とする無線送信装置。
【請求項８】
前記サブキャリアインターリーブ手段がインターリーブを行う単位であるグループの複数にまたがってサブグループのインターリーブを行うサブグループインターリーブ手段を有し、
前記サブキャリアインターリーブ手段は、前記サブグループインターリーブ手段が出力した信号を入力することを特徴とする請求項７に記載の無線送信装置。
【請求項９】
循環遅延送信ダイバーシチを用いるマルチキャリア信号を生成する際に使用するサブキャリア単位で行うインターリーブ方法であって、
前記複数の送信アンテナに与える循環遅延周期をＴｒとし、インターリーブ前のサブキャリア番号をｎ（１≦ｎ≦サブチャネルを形成するサブキャリア総数）としインターリーブ後のサブキャリア番号をｉ（１≦ｉ≦サブチャネルを形成するサブキャリア総数）とした場合に、
【数１】
2007228547.tif 000008
の関係を満たすようにインターリーブを行うことを特徴とするインターリーブ方法。
【請求項１０】
循環遅延送信ダイバーシチを用いるマルチキャリア信号を生成する際に使用する1つ以上のサブキャリア単位で行うインターリーブ方法であって、
前記複数の送信アンテナに与える循環遅延周期をＴｒとした場合に、信号の送信先である各無線受信装置に割り当てられた１つ以上のサブチャネル内で、Ｔｒ／２又はＴｒに含まれるサブキャリアをグループとし、そのグループ単位でインターリーブを行うことを特徴とするインターリーブ方法。
【発明の詳細な説明】
【技術分野】
【０００１】
本発明は、無線送受信システム、無線送信装置、無線受信装置及びインターリーブ方法、特に、マルチキャリア方式により信号を送受信する無線送受信システム、無線送信装置、無線受信装置及びインターリーブ方法に関する。
【背景技術】
【０００２】
図１７は、従来から使用されているマルチキャリア方式により信号を送受信する無線送信装置１ｂの構成を示すブロック図である。この無線送信装置１ｂは、誤り訂正符号部５０−１、５０−２〜５０−Ｕ、スケジューラ部５１、マッピング部５２−１、５２−２〜５２−１２、インターリーブ部５３、ＩＦＦＴ（Inverse Fast Fourier Transform：逆高速フーリエ変換）部５４、Ｐ／Ｓ（Parallel / Serial：パラレル／シリアル）変換部５５、回転部５６−１、５６−２、ＧＩ（Guard Interval：ガードインターバル）挿入部５７−１、５７−２、Ｄ／Ａ（Digital / Analog：ディジタル／アナログ）変換部５８−１、５８−２、ＲＦ（Radio Frequency：無線周波数）部５９−１、５９−２、送信アンテナ６０−１、６０−２を有する。
【０００３】
誤り訂正符号部５０−１、５０−２〜５０−Ｕ（Ｕは複数のユーザのユーザ数）は、ユーザ毎の信号に誤り訂正を施した送信信号を、スケジューラ部５１へ出力する。スケジューラ部５１は、誤り訂正符号部５０−１〜５０−Ｕから出力された信号を、全てのマッピング部５２−1〜５２−１２へ出力する。マッピング部５２−1〜５２−１２は、スケジューラ５１から出力された信号をビットインターリーブした後、ＰＳＫ（Phase Shift Keying：位相偏移変調）又はＱＡＭ（Quadrature Amplitude Modulation：直交振幅変調）などの変調を施し、インターリーブ部５３へ出力する。インターリーブ部５３は、マッピング部５２−1〜５２−１２から出力された信号に対して周波数インターリーブを行い、ＩＦＦＴ部５４へ出力する。この周波数インターリーブ部５３の処理については、例えば、非特許文献１に記載されている。
【０００４】
ＩＦＦＴ部５４は、インターリーブ部５３から出力される信号に対して逆高速フーリエ変換の処理を行い、Ｐ／Ｓ変換部５５へ出力する。Ｐ／Ｓ変換部５５は、ＩＦＦＴ部５４から出力されるパラレル信号をシリアル信号に変換し、回転部５６−１、５６−２にそれぞれ出力する。回転部５６−１、５６−２は、Ｐ／Ｓ変換部５５から出力される信号に対して、無線送信装置１ｂの複数の送信アンテナ６０−１、６０−２から送信する信号間に循環遅延を与える循環遅延送信ダイバーシチ（ＣＤＴＤ：Cyclic Delay Transmit Diversity）に必要となる回転を与える。ＧＩ挿入部５７−１、５７−２は、回転部５６−１、５６−２から出力される信号に対して、ガードインターバルを挿入し、Ｄ／Ａ変換部５９−１、５９−２へ出力する。Ｄ／Ａ変換部５９−１、５９−２は、ＧＩ挿入部５７−１、５７−２から出力される信号を、ディジタル信号からアナログ信号に変換し、ＲＦ部５９−１、５９−２へ出力する。ＲＦ部５９−１、５９−２は、Ｄ／Ａ変換部５９−１、５９−２から出力される信号を、送信周波数に周波数変換し、送信アンテナ６０−１、６０−２から無線受信装置（図示省略）へ送信する。
【非特許文献１】Gerhard Bauch、Javed Shamin Malik form NTT Docomo Euro-Labs、“Orthogonal Frequency Division Multiple Access with Cyclic Delay Diversity”、ITG Workshop On Smart Antenna pp17-23
【発明の開示】
【発明が解決しようとする課題】
【０００５】
しかしながら、非特許文献１に記載されている無線送信装置では、無線送信装置が全周波数帯域を使用して信号を送信するため、周波数帯域の一部のみを受信する無線受信装置に対しても全周波数帯域を使用して信号を送信する必要があり、周波数の利用効率が悪いという問題があった。また、使用する各アンテナのＣＤＴＤの循環遅延量差が大きい場合、非特許文献１に記載されるインターリーブ法は有効であるが、循環遅延量差が小さい場合には十分に性能がでないという問題があった。
【０００６】
本発明は、上記事情に鑑みてなされたものであり、その目的は、周波数帯域の一部のみを使用して信号の送受信を行うことができ、かつ、循環遅延量差が小さい場合でも送受信性能が高い無線送受信システム、無線送信装置、無線受信装置及びインターリーブ方法を提供することにある。
【課題を解決するための手段】
【０００７】
本発明は、上記課題を解決するためになされたもので、請求項１に記載の無線送受信システムは、複数の送信アンテナと、マルチキャリア信号を生成するマルチキャリア信号生成手段とを有する無線送信装置と、受信アンテナと、マルチキャリア信号を復調する復調手段とを有する無線受信装置とを備える無線送受信システムにおいて、前記無線送信装置は、前記複数の送信アンテナから送信されるマルチキャリア信号間に循環遅延を与える循環遅延送信ダイバーシチ手段と、前記複数の送信アンテナに与える循環遅延周期に応じてサブキャリア毎のインターリーブをサブチャネル内で行うインターリーブ手段とを有し、前記無線受信装置は、前記循環遅延送信ダイバーシチの循環遅延周期に応じてサブキャリア毎のデインターリーブをサブチャネル内で行うデインターリーブ手段を有する。
【０００８】
また、請求項２に記載の無線送受信システムは、複数の送信アンテナと、マルチキャリア信号を生成するマルチキャリア信号生成手段とを有する無線送信装置と、受信アンテナと、マルチキャリア信号を復調する復調手段とを有する無線受信装置とを備える無線送受信システムにおいて、前記無線送信装置は、前記複数の送信アンテナから送信されるマルチキャリア信号間に循環遅延を与える循環遅延送信ダイバーシチ手段と、前記送信信号の送信先である各無線受信装置毎に割り当てられた１つ以上のサブチャネル内で、前記複数の送信アンテナに与える循環遅延送信ダイバーシチの循環遅延周期に応じて１つ以上のサブキャリア単位でインターリーブを行う第１のインターリーブ手段と、前記複数の送信アンテナに与える循環遅延周期に応じてサブキャリア毎のインターリーブをサブチャネル内で行う第２のインターリーブ手段とを有し、前記無線受信装置は、前記循環遅延送信ダイバーシチの循環遅延周期に応じてサブキャリア毎のデインターリーブをサブチャネル内で行う第１のデインターリーブ手段と、受信する帯域に割り当てられたサブチャネル内で、前記循環遅延送信ダイバーシチの循環遅延周期に応じて１つ以上のサブキャリア単位でデインターリーブを行う第２のデインターリーブ手段とを有する。
【０００９】
また、請求項３に記載の無線送信装置は、複数の送信アンテナと、マルチキャリア信号を生成するマルチキャリア信号生成手段とを有する無線送信装置において、前記複数の送信アンテナから送信されるマルチキャリア信号間に循環遅延を与える循環遅延送信ダイバーシチ手段と、前記複数の送信アンテナに与える循環遅延周期に応じてサブキャリア毎のインターリーブをサブチャネル内で行うインターリーブ手段とを有する。
【００１０】
また、請求項４に記載の無線送信装置は、複数の送信アンテナと、マルチキャリア信号を生成するマルチキャリア信号生成手段とを有する無線送信装置において、前記複数の送信アンテナから送信されるマルチキャリア信号間に循環遅延を与える循環遅延送信ダイバーシチ手段と、前記送信信号の送信先である各無線受信装置毎に割り当てられた１つ以上のサブチャネル内で、前記複数の送信アンテナに与える循環遅延送信ダイバーシチの循環遅延周期に応じて１つ以上のサブキャリア単位でインターリーブを行う第１のインターリーブ手段と、前記複数の送信アンテナに与える循環遅延周期に応じてサブキャリア毎のインターリーブをサブチャネル内で行う第２のインターリーブ手段とを有する。
【００１１】
また、請求項５に記載の無線受信装置は、受信アンテナと、マルチキャリア信号を復調する復調手段とを有する無線受信装置において、前記循環遅延送信ダイバーシチの循環遅延周期に応じてサブキャリア毎のデインターリーブをサブチャネル内で行うデインターリーブ手段を有する。
【００１２】
また、請求項６に記載の無線受信装置は、受信アンテナと、マルチキャリア信号を復調する復調手段とを有する無線受信装置において、前記循環遅延送信ダイバーシチの循環遅延周期に応じてサブキャリア毎のデインターリーブをサブチャネル内で行う第１のデインターリーブ手段と、受信する帯域に割り当てられたサブチャネル内で、前記循環遅延送信ダイバーシチの循環遅延周期に応じて１つ以上のサブキャリア単位でデインターリーブを行う第２のデインターリーブ手段とを有する。
【００１３】
また、請求項７に記載の無線送信装置は、マルチキャリア信号を生成するマルチキャリア信号生成手段と、前記マルチキャリア信号を送信する複数の送信アンテナとを有する無線送信装置において、前記マルチキャリア信号生成手段が生成したマルチキャリア信号に含まれるサブキャリアを、単一の入力サブグループに含まれるサブキャリアが同一の出力サブグループに含まれないようにインターリーブするサブキャリアインターリーブ手段と、前記出力サブグループ毎に異なる位相回転を与える送信ダイバーシチ手段と、前記送信ダイバーシチ手段が異なる位相回転を与えた出力サブグループを前記複数の送信アンテナから送信する送信手段とを有する。
【００１４】
また、請求項８に記載の無線送信装置は、前記サブキャリアインターリーブ手段がインターリーブを行う単位であるグループの複数にまたがってサブグループのインターリーブを行うサブグループインターリーブ手段を有し、前記サブキャリアインターリーブ手段は、前記サブグループインターリーブ手段が出力した信号を入力する。
【００１５】
また、請求項９に記載の無線受信方法は、循環遅延送信ダイバーシチを用いるマルチキャリア信号を生成する際に使用するサブキャリア単位で行うインターリーブ方法であって、前記複数の送信アンテナに与える循環遅延周期をＴｒとし、インターリーブ前のサブキャリア番号をｎ（１≦ｎ≦サブチャネルを形成するサブキャリア総数）としインターリーブ後のサブキャリア番号をｉ（１≦ｉ≦サブチャネルを形成するサブキャリア総数）とした場合に、
【数１】
2007228547.tif 000003
の関係を満たすようにインターリーブを行う。
【００１６】
また、請求項１０に記載のインターリーブ方法は、循環遅延送信ダイバーシチを用いるマルチキャリア信号を生成する際に使用するサブキャリア単位で行うインターリーブ方法であって、前記複数の送信アンテナに与える循環遅延周期をＴｒとした場合に、信号の送信先である各無線受信装置に割り当てられた１つ以上のサブチャネル内で、Ｔｒ／２又はＴｒに含まれるサブキャリアをグループとし、そのグループ単位でインターリーブを行う。
【発明の効果】
【００１７】
本発明では、無線送信装置の循環遅延送信ダイバーシチ手段によって、複数の送信アンテナから送信される信号間に循環遅延を与え、インターリーブ手段によって、複数の送信アンテナに与える循環遅延周期に応じてサブキャリア毎のインターリーブをサブチャネル内で行うようにした。また、無線受信装置のデインターリーブ手段によって、循環遅延送信ダイバーシチの循環遅延周期に応じてサブキャリア毎のデインターリーブをサブチャネル内で行うようにした。
これにより、受信特性の良いサブキャリアと受信特性の悪いサブキャリアを、無線通信に使用する周波数帯域にインターリーブして分散させることができるので、無線受信装置において受信特性の悪いサブキャリアを集中的に受信することを防ぐことができ、通信品質を改善することができる。
さらにはＯＦＤＭＡシステムへの応用を考慮し、ユーザが使用する帯域に応じ、さらにはサブチャネルインターリーブの効果を考慮してインターリーブを行うユーザインターリーブ処理により、帯域に応じたインターリーブを実現することができる。また、受信装置においても同様に、ユーザが使用する帯域に応じ、さらには前記サブチャネルデインターリーブ手段の出力に対しユーザデインターリーブ処理を施すことで更なる特性の改善を実現することができる。
【発明を実施するための最良の形態】
【００１８】
（第１の実施形態）
以下、図面を参照し、本発明の実施形態について説明する。
図１は、本発明の第１の実施形態による無線送信装置１ａの構成の一例を示すブロック図である。この無線送信装置１ａは、誤り訂正符号部１０−１、１０−２〜１０−Ｕ、スケジューラ部１１、マッピング部１２−１、１２−２〜１２−１２、位相回転部（循環遅延送信ダイバーシチ手段）１３−１−１、１３−１−２〜１３−１−１２、１３−２−１、１３−２−２〜１３−２−１２、ユーザインターリーブ部（第１のインターリーブ手段）１４−１、１４−２、サブチャネルインターリーブ部（インターリーブ手段、第２のインターリーブ手段）１５−１−１、１５−１−２〜１５−１−１２、１５−２−１、１５−２−２〜１５−２−１２、ＩＦＦＴ部１６−１、１６−２、Ｐ／Ｓ変換部１７−１、１７−２、ＧＩ挿入部１８−１、１８−２、Ｄ／Ａ変換部１９−１、１９−２、ＲＦ部２０−１、２０−２、送信アンテナ２１−１、２１−２を有する。
無線送信装置１ａのマッピング部１２−１、１２−２〜１２−１２からＩＦＦＴ部１６−１、１６−２までのブロック（マルチキャリア信号生成手段）において、マルチキャリア信号が生成される。
【００１９】
本実施形態による無線送信装置１ａは、同一の周波数を全てのセルで使用する一周波数繰り返しのセルラシステム等で使用される。一つの基地局（無線送信装置）には、複数の端末（無線受信装置）がマルチキャリア通信方式であるＯＦＤＭＡ（Orthogonal Frequency Division Multiple Access：直交周波数分割多重変調アクセス）方式の下、接続される。
誤り訂正符号部１０−１〜１０−Ｕは、無線受信装置を使用するユーザ毎の信号に誤り訂正を施し、スケジューラ部１１へ出力する。ここでは、無線送信装置１ａに、誤り訂正符号部をユーザ数であるＵ個設けている。
【００２０】
図２は、本発明の第１の実施形態による無線送信装置から送信する信号の構成の一例を示す図である。この図の縦軸は周波数を表しており、横軸は時間を表している。この信号は、周波数軸方向については１２のサブチャネルｃｈ１〜ｃｈ１２から構成されており、時間軸方向については６つの時間スロットｔ１〜ｔ６から構成されている。
７６８波のサブキャリアで構成されるＯＦＤＭ（Orthogonal Frequency Division Multiplexing：直交周波数分割多重変調）方式を使用する場合には、１サブチャネルは６４波のサブキャリアで構成される。また、１時間スロットは複数のＯＦＤＭシンボルで構成される。
【００２１】
ここでは、６つの時間スロットｔ１〜ｔ６のうち、先頭の時間スロットｔ１のみは、サブチャネルを構成せず、全サブキャリアで１サブチャネルとし、複数のユーザが時間多重で通信に使用する。ここで、この先頭の時間スロットｔ１は、４つのスロットｔ１１〜ｔ１４に分割されている。
基地局は受信状態がある程度保たれている端末に対しては、できるだけ周波数特性のよいサブチャネルを割り当てて送信する。例えば、端末Ａにはサブチャネルｃｈ８を割り当て、端末Ｂにはサブチャネルｃｈ１２を割り当てる。このような処理を行うことにより、マルチユーザダイバーシチ効果と呼ばれるセルスループットの改善効果を得ることができる。
マルチユーザダイバーシチ効果をより効率よく得るために、複数の送信アンテナを備える無線送信装置から無線受信装置に信号を送信する場合において、それらの複数の送信アンテナから送信する信号間に小さな遅延時間差（循環遅延時間差）を与えて送信する技術が使用される場合がある。
【００２２】
一方、高速で移動する端末は、基地局との間で伝搬路が激しく変動するため、どのサブチャネルが通信に適しているかを選択できず、マルチユーザダイバーシチ効果を得ることは難しい。そこで、使用できる周波数帯域をできるだけ広げ、サブキャリアの受信特性を平均化することで、通信品質を改善する。この効果は周波数ダイバーシチ効果と呼ばれており、上述したように、図２における時間スロットｔ１を高速で移動する端末に割り当てることによりその効果を得ることができる。
周波数ダイバーシチ効果をより効率よく得るために、複数の送信アンテナを備える無線送信装置から無線受信装置に信号を送信する場合において、それらの複数の送信アンテナから送信する信号間に大きな遅延時間差を与えて送信する技術が使用される場合がある。
【００２３】
図１に戻り、本実施形態による無線送信装置１ａでは、時間スロットｔ１（図２）において、全てのサブキャリアを使用し、スケジューラ部１１により、全てのマッピング部１２−１〜１２−１２へ信号を出力する。また、時間スロットｔ２〜ｔ６（図２）では、それぞれのユーザに最適なサブチャネルを選択し、該当するサブチャネルのマッピング部１２−１〜１２−１２へ信号を出力する。
マッピング部１２は、スケジューラ部１１から出力された信号をビットインターリーブした後、サブキャリアに割り当てられた信号を送信するために、ＰＳＫあるいはＱＡＭなどの変調を行い、位相回転部１３−１−１〜１３−１−１２、１３−２−１〜１３−２−１２へ出力する。ここでは、時間スロットｔ１（図２）においては、前述のように全サブチャネルで１サブチャネルとするので、全てのサブチャネルで同じ変調方式を選択し、それ以外の時間スロットｔ２〜ｔ６では、サブチャネル内の変調方式は同一スロットにおいて同じ変調方式を選択している。
【００２４】
無線送信装置１ａの位相回転部が、位相回転部１３−１−１〜１３−１−１２と位相回転部１３−２−１〜１３−２−１２の２系統具備しているのは、サブチャネル単位で循環遅延送信ダイバーシチの効果を得るための遅延を与えるためである。なお、位相回転部１３−１−１〜１３−１−１２と位相回転部１３−２−１〜１３−２−１２のどちらかの系統の位相回転部を無線送信装置１ａに設けなくてもよく、そのようにしても、循環遅延送信ダイバーシチ効果を得るための遅延を与えることができる。また、従来例ではＩＦＦＴ部の出力を回転させることで循環遅延ダイバーシチを実現しているが、本発明の実施形態ではサブチャネルによって、循環遅延ダイバーシチの有無を選択したり、周期を変えることを実現するために、ＩＦＦＴ前の位相回転により、循環遅延ダイバーシチを実現している。
なお、本実施形態による無線送信装置１ａは、位相回転部１３−１−１〜１３−１−１２、１３−２−１〜１３−２−１２、ユーザインターリーブ部１４−１、１４−２、サブチャネルインターリーブ部１５−１−１〜１５−１−１２、１５−２−１〜１５−２−１２、ＩＦＦＴ部１６−１、１６−２、Ｐ／Ｓ変換部１７−１、１７−２、ＧＩ挿入部１８−１、１８−２、Ｄ／Ａ変換部１９−１、１９−２、ＲＦ部２０−１、２０−２も２系統具備している。
【００２５】
スケジューラ部１１は、送信信号に対して循環遅延送信ダイバーシチを行うか否かを管理しており、送信信号に対して循環遅延送信ダイバーシチを行う場合の位相回転量の情報である位相回転量情報ｊ１（０、πなど）を位相回転部１３−１−１〜１３−１−１２、１３−２−１〜１３−２−１２へ出力する。
また、スケジューラ部１１は、サブチャネルの使用状況、つまり、同一ユーザが使用するサブチャネルがどのサブチャネルであるかを示すサブチャネル情報ｊ２をユーザインターリーブ部１４−１へ出力する。また、スケジューラ部１１は、循環遅延送信ダイバーシチを行って送信信号を送信する場合の循環遅延周期である循環遅延周期情報ｊ３を、ユーザインターリーブ部１４−１及びサブチャネルインターリーブ部１５−１−１〜１５−１−１２へ出力する。
【００２６】
ユーザインターリーブ部１４−１は、スケジューラ部１１から出力されるサブチャネル情報ｊ２及び循環遅延周期情報ｊ３とに基づいて、マッピング部１２−１〜１２−１２から出力される信号に対して、送信信号の送信先である各無線受信装置に割り当てられる帯域内のサブキャリア間でインターリーブを行い、サブチャネルインターリーブ部１５−１−１〜１５−１−１２へ出力する。より具体的には、ユーザインターリーブ部１４−１は、複数の送信アンテナ２１−１、２１−２から送信する送信信号間に与える循環遅延周期に基づく循環遅延周期情報ｊ３に応じて帯域内のサブキャリアをグループ化し、各無線受信装置に割り当てられたサブチャネル数及びサブチャネル番号とに応じたインターリーブを各無線受信装置に割り当てられたサブチャネル内で行う。ユーザインターリーブ処理の詳細な説明は後に行う。
【００２７】
サブチャネルインターリーブ部１５−１−１〜１５−１−１２は、スケジューラ部１１から出力される循環遅延周期情報ｊ３に基づいて、サブチャネル毎にインターリーブを行い、位相回転部１３−１−１〜１３−１−１２、１３−２−１〜１３−２−１２へ出力する。より具体的には、サブチャネルインターリーブ部１５−１−１〜１５−１−１２は、複数の送信アンテナ２１−１、２１−２に与える循環遅延周期に応じたサブキャリア単位でのインターリーブをサブチャネル毎に行う。
サブチャネルインターリーブ部１５−１−１〜１５−１−１２の処理の内容については、図７を参照して後述する。
位相回転部１３−１−１〜１３−１−１２、１３−２−１〜１３−２−１２は、スケジューラ部１１から出力される位相回転量情報ｊ１に基づいて、サブチャネルインターリーブ部１５−１−１〜１５−１−１２から出力される信号に対してサブチャネル毎に位相回転を行い、ＩＦＦＴ部１６−１、１６−２へ出力する。
【００２８】
ＩＦＦＴ部１６−１、１６−２は、位相回転部１３−１−１〜１３−１−１２、１３−２−１〜１３−２−１２から出力される信号に対して、逆高速フーリエ変換の処理を行い、Ｐ／Ｓ変換部１７−１、１７−２へ出力する。サブキャリア数が７６８波の場合、ＩＦＦＴ部１６−１、１６−２は、例えば１０２４ポイントの逆高速フーリエ変換を行う。また、サブキャリアが存在しない場合、ＩＦＦＴ部１６−１、１６−２には逆高速フーリエ変換のポイントとして、ガードバンドを作成するために０が入力される。
【００２９】
Ｐ／Ｓ変換部１７−１、１７−２は、ＩＦＦＴ部１６−１、１６−２から出力される信号を、パラレル信号からシリアル信号に変換し、ＧＩ挿入部１８−１、１８−２へそれぞれ出力する。
ＧＩ挿入部１８−１、１８−２は、Ｐ／Ｓ変換部１７−１、１７−２から出力される信号に対して、ガードインターバルを挿入し、Ｄ／Ａ変換部１９−１、１９−２へ出力する。ガードインターバルは、主にＯＦＤＭシンボルのシンボル間干渉を軽減するためにシンボル間に挿入される時間のことであり、通常、ＯＦＤＭシンボルの後半部のレプリカがＯＦＤＭシンボルの先頭に挿入されることにより生成される。
【００３０】
Ｄ／Ａ変換部１９−１、１９−２は、ＧＩ挿入部１８−１、１８−２から出力される信号を、ディジタル信号からアナログ信号に変換し、ＲＦ部２０−１、２０−２へ出力する。
ＲＦ部２０−１、２０−２は、Ｄ／Ａ変換部１９−１、１９−２から出力される信号を、送信周波数に周波数変換し、送信アンテナ２１−１、２１−２から無線受信装置へ送信する。
【００３１】
本実施形態において、各サブチャネル内のサブキャリアの変調方式を同一にしている理由は、サブチャネル内では大きな周波数変動がない、つまり、受信ＳＮＲ（Signal to Noise power Ratio：信号対雑音比）がサブキャリア間であまり変わらないことを前提としているためである。なお、サブチャネル間においては周波数変動があり、サブチャネル間で受信ＳＮＲが異なるため、マルチユーザダイバーシチ効果を得ることができる。従って、１つのユーザ（無線受信装置）が複数のサブチャネルを同一時間スロットで使用する場合、サブチャネル間でサブキャリアのインターリーブを施すことにより、誤り訂正符号の効果を高めることができる。
【００３２】
ここで、上述した循環遅延送信ダイバーシチについて説明する。この循環遅延送信ダイバーシチは、送信ダイバーシチ技術の一種であり、フェージングのために受信信号の受信周波数特性が連続的に落ち込むのを防ぐ効果を高める技術である。循環遅延送信ダイバーシチでは、同一の信号を異なる送信アンテナから送信する際、送信アンテナ毎に循環遅延を与えて送信することにより、無線受信装置における受信特性を改善する。
ただし、この循環遅延送信ダイバーシチは、単に送信アンテナ毎に遅延を与えるだけでは、遅延ダイバーシチ技術によるＯＦＤＭのシンボル間干渉が激しくなるため、特性が劣化するという問題点を有していることに対し、ＯＦＤＭシンボルの連続性を考慮して、回転を加えることで遅延させることで、ＯＦＤＭのシンボル間干渉の影響を大きくすることなく同様に送信ダイバーシチの効果を得る技術である。例えば、８サンプルの遅延の遅延送信ダイバーシチ技術と同等の効果を得る場合、一方の送信アンテナ６０−１（図１７）ではＩＦＦＴ部５４から出力される信号を、１から１０２４まで順に出力するのに対して、他方の送信アンテナ６０−２（図１７）では、１０１７から１０２４を先に出力し、その後、１から１０１６までを出力することで、回転したＯＦＤＭシンボルを出力する。
【００３３】
図３は、本発明の第１の実施形態によるユーザインターリーブ部１４−１、１４−２（図１）の処理の一例を示すフローチャートである。同一の時間スロット内では、１つの端末が使用するサブチャネルは同一であり、複数のサブチャネルを使用する場合は連続したサブチャネルを使用する。この図３のフローチャートを実行するためのプログラムは、例えば、ユーザインターリーブ部１４−１、１４−２に格納される。
図３において、ステップＳ１では、スケジューラ部１１から出力されるサブチャネル情報ｊ２に基づいて、初期設定を行う。ユーザインターリーブ部１４−１、１４−２は、同一の時間スロット内で送信するユーザの総数ＵＮと、ユーザｋが使用するサブチャネル数Ｕ（ｋ）と、ユーザｋが使用する最小のサブチャネル番号ＮＳ（ｋ）を設定する。
ここで、ｋは無線受信装置を使用するユーザを識別するための変数である。また、ｘはユーザ番号を示す変数であり、初期状態では１に設定されている。
ステップＳ２では、ｋ＝ｘで識別されるユーザが使用する無線受信装置に割り当てられた周波数帯域の最小サブキャリア番号ＭＩＣと最大サブキャリア番号ＭＡＣとを算出することにより、ユーザインターリーブ処理を行うサブキャリア番号を決定する。なお、このサブキャリア番号は、ＭＩＣ＝（ＮＳ（ｋ）−１）×６４＋１、ＭＡＣ＝（ＮＳ（ｋ）＋Ｕ（ｋ）−１）×６４である。
【００３４】
ステップＳ３では、最小サブキャリア番号ＭＩＣから最大サブキャリア番号ＭＡＣ間のサブキャリアで、循環遅延送信ダイバーシチの循環遅延周期に基づいたインターリーブを行う。
ステップＳ４では、ｘとＵＮとを比較し、ｘとＵＮとが同一であれば、図３に示すフローチャートによる処理を終了する。一方、ｘとＵＮとが異なれば、ステップＳ５でｘに１を加えて、再度ステップＳ２から処理を繰り返す。
【００３５】
次に、ステップＳ３で行う循環遅延送信ダイバーシチの循環遅延周期に基づいたユーザインターリーブ処理について説明する。ここでは、１サブチャネルあたりのサブキャリア数は６４とし（全てのサブチャネルで同一）、サブキャリア番号をｎ（ｎは１から７６８）とすると、サブキャリア番号がｎのサブキャリアは、ｆｌｏｏｒ（（ｎ−１）／６４）＋１で求められる番号のサブチャネルに割り当てられる。ここで、ユーザインターリーブ処理後のサブキャリア番号をｉとすると、ユーザインターリーブ処理前のサブキャリア番号ｎとｉとの関係は、以下の式（１）で表わされる。
【００３６】
【数２】
2007228547.tif 000004
【００３７】
ただし、ＭＩＣ  ≦  ｎ、ｉ  ≦  ＭＡＣの条件を満たす。また、ｘ  ｍｏｄ  ｙ  はｘをｙで割った場合の余りを意味する。また、Ｆｌｏｏｒ（ｘ）は、ｘを越えない最大の整数を意味する。また、Ｔｒ’は後述する循環遅延送信ダイバーシチの循環遅延周期Ｔｒの１／２の値である。なお、循環遅延送信ダイバーシチを行わない場合には、Ｔｒは１に設定される。Ｔｒ’はここで設定したようにＴｒ／２にするか、Ｔｒと同じ値にするとよい。これにより、信号の送信先である各無線受信装置に割り当てられた１つ以上のサブチャネル内で、Ｔｒ／２又はＴｒに含まれるサブキャリアをグループとし、そのグループ単位でインターリーブを行うことができる。
【００３８】
図４（ａ）、（ｂ）は、３台の端末Ａ、Ｂ、Ｃに対して、同一の時間スロットを使用して信号を送信する場合のユーザインターリーブ処理の一例を示す図である。
図４（ａ）は、循環遅延送信ダイバーシチを行わない場合を示している。また、図４（ｂ）は、循環遅延送信ダイバーシチを行い、Ｔｒ＝８（Ｔｒ’＝４）に設定した場合を示している。図４（ｂ）、図５（ａ）、図５（ｂ）はそれぞれ、端末Ａ、端末Ｂ、端末Ｃのユーザインターリーブ処理の一例を示している。図４（ａ）及び図４（ｂ）において、端末Ａへは、サブチャネルｃｈ１、ｃｈ２の２つのサブチャネルを割り当てている。また、図４（ａ）及び図５（ａ）において、端末Ｂへはサブチャネルｃｈ３の１つのサブチャネルを割り当てている。また、図４（ａ）及び図５（ｂ）において、端末Ｃへはサブチャネルｃｈ４〜ｃｈ１２の９つのサブチャネルを割り当てている。
【００３９】
図４（ａ）において、端末Ａ、即ちｘ＝１の時は、ＭＩＣ＝１、ＭＡＣ＝１２８、Ｕ（１）＝２となり、上述した式（１）に基づいてｎに対応するｉが、ユーザインターリーブ部１４−１、１４−２により算出される。すなわち、ユーザインターリーブ処理を行うことにより、サブキャリアは、１、６５、２、６６、・・・、６４、１２８のように組み合わされる。
端末Ｂ、即ちｘ＝２の時は、ＭＩＣ＝１２９、ＭＡＣ＝１９２、Ｕ（２）＝１となり、上述した式（１）に基づいてｎに対応するｉが、ユーザインターリーブ部１４−１、１４−２により算出される。この端末Ｂは、割り当てられているサブチャネルが１つしかないため、ユーザインターリーブ処理を行わないことと同等である。端末Ｃ、即ちｘ＝３の時は、ＭＩＣ＝１９３、ＭＡＣ＝７６８、Ｕ（３）＝９となり、上述した式（１）に基づいてｎに対応するｉが、ユーザインターリーブ部１４−１、１４−２により算出される。すなわち、ユーザインターリーブ処理を行うことにより、サブキャリアは、１、１９３、２５７、３２１、３８５、４４９、５１３、５７７、６４１、７０５、１９４、・・・、７０４、７６８のように組み合わされる。
【００４０】
図４（ｂ）において、端末Ａ、すなわちｘ＝１の時は、ＭＩＣ＝１、ＭＡＣ＝１２８、Ｕ（１）＝２であるが、循環遅延送信ダイバーシチを行うためにＴｒ＝８（Ｔｒ’＝４）に設定する。上述した式（１）に基づいてｎに対応するｉが、ユーザインターリーブ部１４−１、１４−２により算出される。すなわち、ユーザインターリーブ処理を行うことにより、サブキャリアは、１、２、３、４、６５、６６、６７、６８、５、６、・・・、１２７、１２８のように組み合わされる。
このようにユーザインターリーブ処理を行うことで、サブチャネル毎のＳＮＲが異なることによる誤り位置のランダム化が実現できるため、通信品質が改善される。
【００４１】
次に、サブチャネルインターリーブ部１５−１−１〜１５−１−１２、１５−２−１〜１５−２−１２で行うインターリーブの処理について説明する。
循環遅延送信ダイバーシチでは、基本的には同一のＯＦＤＭシンボルを異なる送信アンテナ２１−１、２１−２から時間軸で回転した形式で送信するが、送信された波形は、周波数軸ではフーリエ変換の原理より、サブキャリア間で同一の位相回転が加えられた波形になる。この（回転量）×ｎ＝２×πとなるｎを循環遅延送信ダイバーシチによる循環遅延周期とよぶ。ただし、送信アンテナが２本の場合、一方の送信アンテナからは遅延を与えないで送信することを前提としている。なお、送信アンテナ本数を任意の２以上の自然数とした場合の循環遅延周期の一般的な算出方法については第２の実施形態において説明する。
【００４２】
無線送信装置側で１時間サンプル回転させると、周波数軸では、各サブキャリア間に加えられる回転は１／（ＦＦＴ（Fast Fourier Transform：高速フーリエ変換）のポイント数）×２×πとなる。
循環遅延送信ダイバーシチによるダイバーシチ効果を十分に得るためには、循環遅延周期は、伝搬路の遅延時間より大きい方が、効果がある。例えば、ＯＦＤＭのガードインターバル長をＯＦＤＭシンボルの１／８とした場合、循環遅延周期は、１／８×（ＦＦＴのポイント数）サンプルにすればよい。この場合、各サブキャリア間に加えられる位相回転量は、１／８×（ＦＦＴのポイント数）×１／（ＦＦＴのポイント数）×２×πとなり、π／４となる。
【００４３】
図６（ａ１）〜（ａ８）、（ｂ１）〜（ｂ８）、（ｃ１）〜（ｃ８）は、本発明の実施形態による無線受信装置が受信する信号の一例を示す図である。ここでは、無線受信装置は、２本の送信アンテナ２１−１、２１−２を備える無線送信装置１ａ（図１）から、循環遅延周期として０、１２８が与えられた信号であって、送信位相が全て（１＋ｊ）／√２である信号を受信する。
図６（ａ１）〜図６（ａ８）は、無線送信装置１ａの一方の送信アンテナ２１−１から送信された信号を示しており、図６（ｂ１）〜図６（ｂ８）は、無線送信装置１ａの他方の送信アンテナ２１−２から送信された信号を示している。図６（ｃ１）〜図６（ｃ８）は、それぞれ図６（ａ１）〜図６（ａ８）の信号と、図６（ｂ１）〜図６（ｂ８）の信号とを合成した信号を示している。
【００４４】
また、図６（ａ１）、（ｂ１）、（ｃ１）はサブキャリア番号がｎのサブキャリアの位相及び振幅を示しており、図６（ａ２）、（ｂ２）、（ｃ２）はサブキャリア番号がｎ＋１のサブキャリアの位相及び振幅を示しており、図６（ａ３）、（ｂ３）、（ｃ３）はサブキャリア番号がｎ＋２のサブキャリアの位相及び振幅を示しており、図６（ａ４）、（ｂ４）、（ｃ４）はサブキャリア番号がｎ＋３のサブキャリアの位相及び振幅を示している。
また、図６（ａ５）、（ｂ５）、（ｃ５）はサブキャリア番号がｎ＋４のサブキャリアの位相及び振幅を示しており、図６（ａ６）、（ｂ６）、（ｃ６）はサブキャリア番号がｎ＋５のサブキャリアの位相及び振幅を示しており、図６（ａ７）、（ｂ７）、（ｃ７）はサブキャリア番号がｎ＋６のサブキャリアの位相及び振幅を示しており、図６（ａ８）、（ｂ８）、（ｃ８）はサブキャリア番号がｎ＋７のサブキャリアの位相及び振幅を示している。
【００４５】
送信アンテナ２１−１には０ポイントの循環遅延周期を与えている。つまり、送信アンテナ２１−１には遅延を与えていないので、無線受信装置では、図６（ａ１）〜図６（ａ８）に示すように、全てのサブキャリアで同一の位相及び振幅をした信号が観測される。
一方、送信アンテナ２１−２には１２８ポイントの循環遅延周期を与えており、図６（ｂ１）〜図６（ｂ８）に示すように、サブキャリア間にπ／４の位相回転を加えた信号が無線受信装置において観測される。しかし、実際には図６（ａ１）〜図６（ａ８）の信号と、図６（ｂ１）〜図６（ｂ８）の信号とが合成されるため、これらをベクトル加算した信号が無線受信装置において観測される（図６（ｃ１）〜図６（ｃ８）参照）。即ち、循環遅延送信ダイバーシチの循環遅延周期に応じて、サブキャリア毎に周期的にＳＮＲが変化する波形が観測される。
【００４６】
上述した図６の説明では、フェージングや雑音を考慮していないが、これらを考慮しても循環遅延送信ダイバーシチの循環遅延周期に応じて、周期的にサブキャリアのＳＮＲが変化することに変わりはない。
また、上述した周期的な変化が、振幅が大きくＳＮＲがよい状態であるｎ番目（図（ｃ１））、ｎ＋１番目（図（ｃ２））、ｎ＋２番目（図（ｃ３））、ｎ＋６番目（図（ｃ７））、ｎ＋７番目（図（ｃ８））のサブキャリアから、振幅が小さくＳＮＲが悪い状態であるｎ＋３番目（図（ｃ４））、ｎ＋４番目（図（ｃ５））、ｎ＋５番目（図（ｃ６））のサブキャリアに緩やかに変化するため、特に循環遅延周期が小さい場合などは、ＳＮＲが悪いサブキャリアが連続し、誤り訂正能力を超えてしまう可能性がある。
従って、循環遅延送信ダイバーシチを行う場合には、循環遅延周期にあわせた形式でインターリーブを施すとよい受信特性を実現できる。本実施形態では、無線送信装置１ａのサブチャネルインターリーブ部１５−１−１〜１５−１−１２、１５−２−１〜１５−２−１２により、循環遅延送信ダイバーシチの循環遅延周期に応じたインターリーブ方法を実現している。
【００４７】
図６からわかるように、循環遅延周期を与えることにより発生する周波数軸の位相回転量が２×πとなる周期で周波数応答が変化するので、その周期をなすサブキャリア数内でをサブキャリア毎のインターリーブを施すことが、誤り訂正能力を最大限引き出すことにつながる。このサブキャリア数が循環遅延周期Ｔｒである。
また、最もＳＮＲが良いサブキャリアと悪いサブキャリアの番号が、ｎ番目と（ｎ＋Ｔｒ／２）番目の関係になるため、この関係にあるサブキャリアを並べることが、誤り訂正符号部１０−１〜１０−Ｕの処理に対して効果的である。
従って、サブチャネルインターリーブ部１５−１−１〜１５−１−１２、１５−２−１〜１５−２−１２では、循環遅延送信ダイバーシチの循環遅延周期に応じて、サブキャリアを分割し、分割したサブキャリア内でインターリーブを行う。
【００４８】
図７は、本発明の第１の実施形態によるサブチャネルインターリーブ部１５−１−１〜１５−１−１２、１５−２−１〜１５−２−１２（図１）の処理の一例を示すフローチャートである。
ここでは、循環遅延送信ダイバーシチの循環遅延周期を、サブチャネル内のサブキャリア総数の約数としている。この図７のフローチャートを実行するためのプログラムは、例えば、サブチャネルインターリーブ部１５−１−１〜１５−１−１２、１５−２−１〜１５−２−１２に格納される。
ステップＳ１１では、スケジューラ部１１から出力される循環遅延周期情報ｊ３に基づいて、初期設定を行う。サブチャネルインターリーブ部１５−１−１〜１５−１−１２、１５−２−１〜１５−２−１２は、サブチャネル内のサブキャリア総数ＮＣと、循環遅延周期Ｔｒを設定する。
ステップＳ１２では、サブチャネルインターリーブ部１５−１−１〜１５−１−１２、１５−２−１〜１５−２−１２は、サブチャネル内でサブチャネルインターリーブ処理を行う。
【００４９】
次に、ステップＳ１２のサブチャネルインターリーブ処理について説明する。サブチャネルインターリーブ部１５−１−１〜１５−１−１２、１５−２−１〜１５−２−１２に入力されるサブキャリアのサブキャリア番号をｎ（本実施形態においてｎは１から６４までのいずれかの整数）とし、サブチャネルインターリーブ部１５−１−１〜１５−１−１２、１５−２−１〜１５−２−１２から出力されるサブキャリア番号をｉ（本実施形態においてｉは、１から６４までのいずれかの整数）とすると、ｎとｉとの関係は、以下の式（２）で表わされる。ただし、１  ≦  ｎ、ｉ  ≦  ＮＣ（＝６４）である。
【００５０】
【数３】
2007228547.tif 000005
【００５１】
図８は、端末Ａについて、本実施形態によるサブチャネルインターリーブ部１５−１−１〜１５−１−１２、１５−２−１〜１５−２−１２の処理の一例を示す図である。ここで、循環遅延周期は８であり、ＮＣは６４である。すなわち、サブチャネルインターリーブ処理を行うことにより、サブキャリアは、１、５、２、６、３、７、４、８、９、１３、１０、１４、１１、１５、１２、１６、・・・、６４のように組み合わされる。端末Ｂ、Ｃについても同様である。
このような循環遅延周期に応じたサブチャネルインターリーブ処理を行うことで、循環遅延周期をどのような値に設定しても、無線送信装置と無線受信装置との間で適切な誤り率の通信を行うことが可能となる。
【００５２】
図９は、本発明の第１の実施形態による無線受信装置２の構成の一例を示すブロック図である。この無線受信装置２は、誤り訂正復号部３０、デマッピング部（復調手段）３１−１、３１−２〜３１−１２、ユーザデインターリーブ部（第２のデインターリーブ手段）３２、サブチャネルデインターリーブ部（デインターリーブ手段、第１のデインターリーブ手段）３３−１、３３−２〜３３−１２、ＦＦＴ部３４、Ｓ／Ｐ（Serial / Parallel：シリアル／パラレル）変換部３５、シンボル同期部３６、Ａ／Ｄ（Analog / Digital：アナログ／ディジタル）変換部３７、ＲＦ部３８、受信アンテナ３９を有する。無線受信装置２は、基本的には無線送信装置と逆の処理を行う。
【００５３】
ＲＦ部３８は、受信アンテナ３９で受信した信号を、ベースバンド信号に周波数変換し、Ａ／Ｄ変換部３７へ出力する。Ａ／Ｄ変換部３７は、ＲＦ部３８から出力される信号を、アナログ信号からディジタル信号に変換し、シンボル同期部３６へ出力する。
シンボル同期部３６は、Ａ／Ｄ変換部３７から出力される信号に対して、シンボル同期をとり、Ｓ／Ｐ変換部３５へ出力する。このシンボル同期をとる処理は、ガードインターバルが付加された送信ＯＦＤＭシンボルから高速フーリエ変換の処理に必要となるポイント数を抽出することにより行う。
【００５４】
Ｓ／Ｐ変換部３５は、シンボル同期部３６から出力される信号を、シリアル信号から高速フーリエ変換のポイント数のパラレル信号に変換し、ＦＦＴ部３４へ出力する。ＦＦＴ部３４は、Ｓ／Ｐ変換部３５から出力される信号に対して、高速フーリエ変換の処理を行い、サブチャネルデインターリーブ部３３−１〜３３−１２へ出力する。
サブチャネルデインターリーブ部３３−１〜３３−１２には、無線送信装置と無線受信装置の間で予め設定される、循環遅延送信ダイバーシチが行われている信号を受信する場合の循環遅延周期である循環遅延周期情報ｊ４が入力される。
サブチャネルデインターリーブ部３３−１〜３３−１２は、循環遅延周期情報ｊ４に基づいて、ＦＦＴ部３４がフーリエ変換した信号に対してサブチャネル毎にサブチャネルデインターリーブ処理を行い、ユーザデインターリーブ部３２へ出力する。より具体的には、複数の送信アンテナ２１−１、２１−２を備える無線送信装置１ａから送信する信号間に循環遅延を与える循環遅延送信ダイバーシチが、ＲＦ部３８が受信した信号に対して行われている場合には、サブチャネルデインターリーブ部３３−１〜３３−１２は、循環遅延送信ダイバーシチの循環遅延周期に応じたサブチャネルデインターリーブ処理をサブチャネル毎に行う。
このサブチャネルデインターリーブ処理は、サブチャネルインターリーブ処理（図７）とは逆の処理である。
【００５５】
ユーザデインターリーブ部３２には、無線送信装置と無線受信装置の間で予め設定される、循環遅延送信ダイバーシチが行われている信号を受信する場合の循環遅延周期である循環遅延周期情報ｊ４が入力される。また、ユーザデインターリーブ部３２には、無線送信装置と無線受信装置の間で予め設定される、サブチャネルの使用状況、つまり、同一ユーザが使用するサブチャネルがどのサブチャネルであるかを示すサブチャネル情報ｊ５が入力される。
ユーザデインターリーブ部３２は、循環遅延周期情報ｊ４、サブチャネル情報ｊ５に基づいて、サブチャネルデインターリーブ部３３−１〜３３−１２がサブチャネルデインターリーブ処理を行った幾つかのサブチャネルをまとめ、それらのサブチャネル内のサブキャリアに対するデインターリーブ処理を行い、デマッピング部３１−１〜３１−１２へ出力する。より具体的には、複数の送信アンテナ２１−１、２１−２を備える無線送信装置１ａから送信する信号間に循環遅延を与える循環遅延送信ダイバーシチが、ＲＦ部３８が受信した信号に対して行われている場合には、ユーザデインターリーブ部３２は、循環遅延周期と、自無線受信装置に割り当てられたサブチャネル数及びサブチャネル番号とに応じたデインターリーブ処理を行う。
このユーザデインターリーブ処理は、ユーザインターリーブ（図３）処理とは逆の処理である。
【００５６】
デマッピング部３１−１〜３１−１２は、ユーザデインターリーブ部３２から出力される信号に対して、サブキャリア毎に施された変調をとく復調の処理を行い、誤り訂正復号部３０へ出力する。誤り訂正復号部３０は、デマッピング部３１−１〜３１−１２から出力される信号に対して、誤り訂正を行う。
無線受信装置２は、無線送信装置１ａとの信号の送受信に、一部のサブチャネルしか使用しない場合には、ユーザデインターリーブ部３２、デマッピング部３１−１〜３１−１２、誤り訂正復号部３０は、使用されているサブチャネルのみを対象として処理を行う。
【００５７】
図１０（ａ）〜１０（ｃ）は、本発明の第１の実施形態による無線送信装置１ａ（図１）である端末Ａと無線受信装置２（図９）を備える無線送受信システムを利用した場合の効果を説明するための図である。
また、図１１（ａ）〜図１１（ｃ）は、本発明の第１の実施形態による無線送信装置１ａ（図１）である端末Ｂと無線受信装置２（図９）を備える無線送受信システムを利用した場合の効果を説明するための図である。
また、図１２（ａ）〜図１２（ｃ）は、本発明の第１の実施形態による無線送信装置１ａ（図１）である端末Ｃと無線受信装置２（図９）を備える無線送受信システムを利用した場合の効果を説明するための図である。
【００５８】
図１０（ａ）、図１１（ａ）、図１２（ａ）は、端末Ａ、端末Ｂ、端末ＣのＦＦＴ部３４から出力される信号を示している。これらの図において、矢印の長さは、無線受信装置が受信する信号のＳＮＲの大きさを示している。図１０（ａ）中の１〜６４の番号は、サブチャネルｃｈ１を構成するサブキャリアを示している。また、６５〜１２８の番号は、サブチャネルｃｈ２を構成するサブキャリアを示している。また、図１１（ａ）中の６５〜１９２の番号は、サブチャネルｃｈ３を構成するサブキャリアを示している。また、図１２（ａ）中の１９３〜２５６、２５７〜３２０、・・・、７０５〜７６８の番号は、それぞれサブチャネルｃｈ４、ｃｈ５、・・・、ｃｈ１２を構成するサブキャリアを示している。
ここでは、端末Ａ、端末Ｂ、端末Ｃにサブチャネルｃｈ１及びｃｈ２、サブチャネルｃｈ３、サブチャネルｃｈ４〜ｃｈ１２がそれぞれ割り当てられており、循環遅延周期が８である。図１０（ａ）に示すように、サブチャネルｃｈ１のＳＮＲは、サブチャネルｃｈ２のＳＮＲに比べて大きく、循環遅延周期が８の循環遅延送信ダイバーシチを行った結果、８サブキャリア周期でＳＮＲが変化している。
【００５９】
上述のように、図１０（ａ）、図１１（ａ）、図１２（ａ）は、端末Ａ、端末Ｂ、端末ＣのＦＦＴ部１５から出力される信号をそれぞれ示している。また、図１０（ｂ）、図１１（ｂ）、図１２（ｂ）は、サブチャネルデインターリーブ３３−１〜３３−１２から出力される信号をそれぞれ示している。また、図１０（ｃ）、図１１（ｃ）、図１２（ｃ）は、ユーザデインターリーブ部３２から出力される信号を示している。
図１０（ａ）に示すサブチャネルよりも図１０（ｂ）に示すサブチャネルの方が、ＳＮＲの大きいサブキャリアとＳＮＲの小さいサブキャリアとが分散しており、より効果的な誤り訂正能力を発揮することができる。また、図１０（ｂ）に示すサブチャネルよりも図１０（ｃ）に示すサブチャネルの方が、ＳＮＲの大きいサブキャリアとＳＮＲの小さいサブキャリアとが分散しており、より効果的な誤り訂正能力を発揮することができる。図１１（ａ）〜図１１（ｃ）、図１２（ａ）〜図１２（ｃ）についても同様である。
このようにユーザインターリーブ処理、サブチャネルインターリーブ処理を併用することで、様々なユーザに対し最適なインターリーブを実現することが可能となる。
【００６０】
また、本実施形態で示したサブチャネルインターリーブの処理では、循環遅延送信ダイバーシチの循環遅延周期に応じて適切なインターリーブを実現することができるため、ユーザインターリーブ処理の有無に関わらず、インターリーブの効果が期待できる。また、サブチャネル数が１つの場合は、ＯＦＤＭシステムと同等となり、ＯＦＤＭシステムでも同じ効果を得ることができる。
更に、無線送信装置１ａと無線受信装置２とにより無線送受信システムを実現すると、サブチャネル数に応じて、インターリーブを適切に行うことができるため、周波数帯域の一部しか受信できない無線受信装置に対しても、インターリーブの効果を十分に得ることができる。
また、時間スロット単位で、循環遅延送信ダイバーシチの使用の有無や使用するサブチャネル数が異なる場合でも、本実施形態による無線送受信システムを適用することができ、インターリーブの効果を十分に得ることができる。
本実施形態で示した２つのインターリーブ部であるサブチャネルインターリーブ部とユーザインターリーブ部の順序を入れかえても、同様の特性改善効果を得ることができる。
ただし、無線送信装置において順序を入れ替えた場合は、無線受信装置においても同様に順序を入れ替える必要がある。
【００６１】
（第２の実施形態）
第１の実施形態では、無線送信装置１ａが２本の送信アンテナ２１−１、２１−２を有する場合について説明したが、第２の実施形態では、無線送信装置がＺ本（Ｚは３、又はそれ以上の整数）以上の送信アンテナを有する場合について説明する。
無線送信装置の構成については、第１の実施形態による無線送信装置１ａ（図１）とほぼ同様であるので説明を省略する。ただし、本実施形態による無線送信装置が、Ｚ本の送信アンテナを有する場合には、位相回転部、ユーザインターリーブ部、サブチャネルインターリーブ部、ＩＦＦＴ部、Ｐ／Ｓ変換部、ＧＩ挿入部、Ｄ／Ａ変換部、ＲＦ部もＺ系統設けられる。
【００６２】
本実施形態のように、無線送信装置に３本以上の送信アンテナを設けるようにすることにより、複数の遅延時間が与えられて送信された信号を合成することで受信ＳＮＲの変動を抑えることができるパスダイバーシチ効果を高めることができる。
ただし、ユーザインターリーブ処理は、送信アンテナ数に依存するものではないので、ここではサブチャネルインターリーブ処理についてのみ説明する。
【００６３】
ここでは、送信アンテナ数が３本（Ｚ＝３）、周波数軸上で平坦なフェージングにおいて、各送信アンテナに循環遅延が与えられた場合であって、それぞれの周波数軸上での循環遅延周期がｍ１、ｍ２、ｍ３（ただし、ｍ１からｍ３は整数）の場合について説明する。
また、それぞれの受信振幅をａ１、ａ２、ａ３とした場合、ＩＦＦＴ部に入力される受信信号の各サンプリング点における電力Ｒｘ（ｎ）は以下の式（３）のように表すことができる。ただし、ｎはＩＦＦＴ部への入力サンプリング番号（０≦ｎ≦Ｎ−１）、ＮはＦＦＴのポイント数である。
【００６４】
【数４】
2007228547.tif 000006
【００６５】
この式（３）を展開、整理すると、以下の式（４）のようになる。
【００６６】
【数５】
2007228547.tif 000007
【００６７】
Ｒｘ（ｎ）は、各周期ｍ１、ｍ２、ｍ３の差で表される信号を加算した形で表すことができる。従ってこの場合、各差周期の絶対値、即ち、｜ｍ１−ｍ２｜、｜ｍ２−ｍ３｜、｜ｍ３−ｍ１｜の最大公約数周期がＲｘ（ｎ）の周期となる。
これは、送信アンテナ数が増えても同じことであり、受信波形の繰り返し周期は、各循環遅延送信ダイバーシチの循環遅延周期の差の最大公約数で得ることができる。
従って式（２）におけるＴｒにこの最大公約数をあてはめることにより、３本以上のアンテナを用いた場合の、最適なサブチャネルインターリーブ部の処理を実現することが可能になる。
なお、第１の実施形態で説明した送信アンテナが２本の場合についても式（４）を適用することができる。つまり、ｍ１＝０、ｍ２＝（もう一方の送信アンテナの循環遅延周期）、ａ３＝０とすればよい。
また、例えばｍ１＝０、ｍ２＝８、ｍ３＝１２の場合は、各差周期の絶対値は、８、４、１２となり、最大公約数である４を式（２）にあてはめれば、最適なサブチャネルインターリーブ部の処理を実現することが可能になる。
【００６８】
（第３の実施形態）
次に、本発明の第３の実施形態について説明する。本実施形態では、サブキャリアを数本ずつグループ化し（サブグループと称す）、サブグループ毎に同一の位相回転を与え、その位相回転量差によって循環遅延ダイバーシチの効果を得る。サブグループ化して同一の位相回転を与えるため、ダイバーシチ効果は通常の循環遅延ダイバーシチに比べ劣るものの、伝搬路推定をサブグループ内で行える等の利点がある。この方法をここではＳＰＲ−ＴＤ（Step Phase Rotation Transmission Diversity）と呼ぶ。
【００６９】
図１３は、本発明の第３の実施形態による無線送信装置１ａ’の構成の一例を示すブロック図である。無線送信装置１ａ’は、送信データ生成部１０１（マルチキャリア信号生成手段）、サブキャリアインターリーブ部１０２−１〜１０２−４８（サブキャリアインターリーブ手段）、位相回転部１０３−１−１〜１０３−１−１９２、１０３−２−１〜１０３−１−１９２（送信ダイバーシチ手段）、ＩＦＦＴ部１６−１、１６−２、Ｐ／Ｓ変換部１７−１、１７−２、ＧＩ挿入部１８−１、１８−２、Ｄ／Ａ変換部１９−１、１９−２、ＲＦ部２０−１、２０−２（送信手段）、送信アンテナ２１−１、２１−２を備えている。図１３において、第１の実施形態による無線送信装置１ａの構成（図１）と同じ部分については同一の符号を付してそれらの説明を省略する。
【００７０】
送信データ生成部１０１は、マルチキャリア信号を生成する機能を有する。つまり、送信するデータをサブキャリア単位で生成する機能を有するとともに、誤り訂正機能やマッピング機能を有する。サブキャリアインターリーブ部１０２−１〜１０２−４８は、送信データ生成部１０１が生成したマルチキャリア信号に含まれるサブキャリアを、単一の入力サブグループに含まれるサブキャリアが同一の出力サブグループに含まれないようにインターリーブする。サブキャリアインターリーブ部１０２−１〜１０２−４８の詳細については後述する。
【００７１】
位相回転部１０３−１−１〜１０３−１−１９２、１０３−２−１〜１０３−２−１９２は、サブキャリアインターリーブ部１０２−１〜１０２−４８から出力される出力サブグループ毎に異なる位相回転を与える。
ＲＦ部２０−１、２０−２は、位相回転部１０３−１−１〜１０３−１−１９２、１０３−２−１〜１０３−２−１９２が異なる位相回転を与えた出力サブグループを複数の送信アンテナ２１−１、２１−２から送信する。
【００７２】
図１３では、サブグループに含まれるサブキャリア数は４とし、４グループ単位でインターリーブを行う場合について示している。１つのサブキャリアインターリーブ部がインターリーブを行う周波数軸方向に連続したサブキャリアをグループと定義する。
送信アンテナの本数が２本で、グループに含まれるサブグループ数が４の場合、位相回転部１０３−１−１〜１０３−１−１９２は位相回転量を全て０度とし、位相回転部１０３−２−１〜１０３−２−１９２は位相回転量が９０度ずつ増えるように設定する。
【００７３】
図１４（ａ）〜図１４（ｃ）は、本発明の第３の実施形態によるサブキャリアインターリーブ部１０２−１〜１０２−４８の動作について説明するための図である。
図１４（ｃ）は、サブキャリアインターリーブ部１０２−１〜１０２−４８に入力される信号を示している。サブキャリアインターリーブ部１０２−１には、グループｇ１が入力される。グループｇ１は、４つのサブグループｓｇ１〜ｓｇ４からなる。また、サブグループｓｇ１は、サブキャリアｓｃ１１、ｓｃ２１、ｓｃ３１、ｓｃ４１からなる。同様に、サブグループｓｇ２、ｓｇ３、ｓｇ４は、それぞれサブキャリアｓｃ１２、ｓｃ２２、ｓｃ３２、ｓｃ４２、サブキャリアｓｃ１３、ｓｃ２３、ｓｃ３３、ｓｃ４３、サブキャリアｓｃ１４、ｓｃ２４、ｓｃ３４、ｓｃ４４からなる。
【００７４】
図１４（ｂ）は、サブキャリアインターリーブ部１０２−１〜１０２−４８から出力される信号を示している。サブキャリアインターリーブ部１０２−１〜１０２−４８は、単一の入力サブグループ（例えば、サブグループｓｇ１）に含まれるサブキャリア（サブキャリアｓｃ１１、ｓｃ２１、ｓｃ３１、ｓｃ４１）が同一の出力サブグループ（例えば、サブグループｓｇ１’）に含まれないようにインターリーブする。ここでは、サブキャリアインターリーブ部１０２−１がサブキャリアをインターリーブすることにより、単一の入力サブグループｓｇ１に含まれるサブキャリアｓｃ１１、ｓｃ２１、ｓｃ３１、ｓｃ４１が、サブグループｓｇ１’、ｓｇ２’、ｓｇ３’、ｓｇ４’にそれぞれ分散される。
【００７５】
図１４（ａ）は、サブキャリアインターリーブ部１０２−１が出力する信号（図１４（ｂ）参照）に対して、位相回転部１０３−１−１〜１０３−１−４、１０３−２−１〜１０３−２−４が位相回転を行う方法について説明するための図である。
位相回転部１０３−１−１〜１０３−１−１９２、１０３−２−１〜１０３−２−１９２は、サブキャリアインターリーブ部１０２−１〜１０２−４８から出力される出力サブグループ毎に異なる位相回転を与える。つまり、位相回転部１０３−１−１はサブグループｓｇ１’に対して０度の位相回転を与えて、ＩＦＦＴ部１６−１に出力する。また、位相回転部１０３−２−１はサブグループｓｇ１’に対して０度の位相回転を与えて、ＩＦＦＴ部１６−２に出力する。
また、位相回転部１０３−１−２はサブグループｓｇ２’に対して０度の位相回転を与えて、ＩＦＦＴ部１６−１に出力する。また、位相回転部１０３−２−２はサブグループｓｇ２’に対してπ／２（＝９０度）の位相回転を与えて、ＩＦＦＴ部１６−２に出力する。
【００７６】
また、位相回転部１０３−１−３はサブグループｓｇ３’に対して０度の位相回転を与えて、ＩＦＦＴ部１６−１に出力する。また、位相回転部１０３−２−３はサブグループｓｇ３’に対してπ（＝１８０度）の位相回転を与えて、ＩＦＦＴ部１６−２に出力する。
また、位相回転部１０３−１−４はサブグループｓｇ４’に対して０度の位相回転を与えて、ＩＦＦＴ部１６−１に出力する。また、位相回転部１０３−２−４はサブグループｓｇ４’に対して３π／２（＝２７０度）の位相回転を与えて、ＩＦＦＴ部１６−２に出力する。
以下同様にこの操作が行われて、サブキャリアインターリーブ部１０２−４８の出力に対して、位相回転部１０３−１−１９２と位相回転部１０３−２−１９２が所定の位相回転を与える。
【００７７】
無線受信装置では、位相回転が同一であるグループ毎に受信品質が異なる。即ち、同一の位相回転を持つサブキャリアには相関があり、誤りが連続して発生する可能性が多い。従って、本発明の第３の実施形態による無線送信装置１ａ’のように、同一の位相回転を行なうサブキャリアが連続しないようにサブキャリアインターリーブ部１０２−１〜１０２−４８によってインターリーブを行うことで、誤り訂正の効果を最大限得ることができる。
【００７８】
なお、図１４（ｂ）及び図１４（ｃ）で示したインターリーブの方法は一例であってこの方法に限定されるものではない。単一の入力サブグループに含まれるサブキャリアが同一の出力サブグループに含まれないようにインターリーブする方法であれば、図１４（ｂ）及び図１４（ｃ）で示した方法以外の方法を使用してもよい。
【００７９】
送信ダイバーシチとして本実施形態では、送信アンテナ毎にサブグループ間に与える位相回転の差を一定とする例（ＳＰＲ−ＴＤ）を示したがこれに限定されるものではない。送信アンテナ系列毎の同じサブグループ間に与えられる位相が異なり、かつ、インターリーブを行うサブグループ間でその位相差が異なれば、送信ダイバーシチとしてＳＰＲ−ＴＤと同様の効果が期待できる。例えば、各送信アンテナ系列のサブグループに独立のランダムな位相回転を与えることがその例である。ゆえに同様のサブキャリアインターリーブを行うことで同様の効果を得ることができる。
【００８０】
（第４の実施形態）
次に、本発明の第４の実施形態について説明する。本実施形態は、第３の実施形態よりも更に広帯域な周波数を使用してインターリーブを行う。本実施形態では、同一ユーザに割り当てられた複数のグループ間でサブグループ単位のインターリーブを行うことにより、広帯域でのインターリーブ効果を得ることができる。
【００８１】
図１５は、本発明の第４の実施形態による無線送信装置１ａ’’の構成の一例を示すブロック図である。無線送信装置１ａ’’は、送信データ生成部１０１とサブキャリアインターリーブ部１０２−１〜１０２−４８との間に、ユーザインタリーブ部１０４−１〜１０４−２４（サブグループインターリーブ手段）が設けられている点で、第３の実施形態による無線送信装置１ａ’の構成（図１３）と異なる。
ユーザインタリーブ部１０４−１〜１０４−２４は、サブキャリアインターリーブ部１０２−１〜１０２−４８がインターリーブを行う単位であるグループの複数にまたがってサブグループのインターリーブを行う。ユーザインターリーブ部１０２−１〜１０２−４８の詳細については後述する。
図１５において、第３の実施形態による無線送信装置１ａ’の構成と同じ部分については同一の符号を付してそれらの説明を省略する。
【００８２】
図１６（ａ）及び図１６（ｂ）は、本発明の第４の実施形態によるユーザインターリーブ部１０４−１〜１０４−２４の動作について説明するための図である。これらの図では、２つのグループｇ１、ｇ２の間でサブグループ単位のインターリーブを行う場合を示しており、１ユーザに２つのグループｇ１、ｇ２が割り当てられている。
図１６（ｂ）は、ユーザインターリーブ部１０４−１〜１０４−２４に入力される信号を示している。ユーザインターリーブ部１０４−１には、サブグループｇ１が入力される。ここで、グループｇ１はサブグループｓｇ１〜ｓｇ４からなり、グループｇ２はサブグループｓｇ５〜ｓｇ８からなる。
【００８３】
図１６（ａ）は、ユーザインターリーブ部１０４−１〜１０４−２４から出力される信号を示している。ユーザインターリーブ部１０４−１〜１０４−２４は、サブキャリアインターリーブ部１０２−１０２−４８がインターリーブを行うグループｇ１、ｇ２、・・・の複数にまたがってサブグループのインターリーブを行う。
サブグループのインターリーブを行うとは、周波数軸方向に所定の順序で配置されているサブグループに含まれるサブキャリアの順序を入れ替えることなく、サブグループの順序を入れ替えることをいう。ここでは、サブキャリアｓｇ１、ｓｇ３がグループｇ１からグループｇ１’にインターリーブされ、サブキャリアｓｇ２、ｓｇ４がグループｇ２’にインターリーブされる。また、サブキャリアｓｇ５、ｓｇ７がグループｇ２からグループｇ２’にインターリーブされ、サブキャリアｓｇ６、ｓｇ８がグループｓｇ２からグループｇ１’にインターリーブされる。
ユーザインターリーブ部１０４−１〜１０４−２４によってインターリーブされた信号（図１６（ａ））は、サブキャリアインターリーブ部１０２−１〜１０２−４８に出力される。
【００８４】
本発明の第４の実施形態による無線送信装置１ａ’’では、ＳＰＲ−ＴＤにおいて与えられる位相回転量が同一で異なるグループに属するサブグループ間でインターリーブを行うことで、更に効率の良いインターリーブを実現することが可能となる。
なお、図１６（ａ）及び図１６（ｂ）の説明では、１ユーザが２つのグループｇ１、ｇ２を使用して通信を行う場合について示したが、他のグループ数を使用したり、あるいは、適応的に使用するグループ数を変えたりしてもよい。また、本実施形態では、異なる２つのインターリーブ部（ユーザインターリーブ部、サブキャリアインターリーブ部）を用いているが、どちらか一方だけを用いてもよい。
【００８５】
第３の実施形態、第４の実施形態で示したインターリーブ機能を持った無線送信装置（図１３、図１５）に対する無線受信装置の構成は、図９で示したものと同様である。ただし、それぞれのデインターリーバの機能が、第３の実施形態、第４の実施形態で示したものと逆の処理を行う。
【００８６】
なお、上述した第１及び第２の実施形態における式（１）〜式（４）による演算は、加算回路や乗算回路などを組み合わせることにより実現することができる。
また、以上説明した実施形態において、図１のユーザインターリーブ部１４−１、１４−２、サブチャネルインターリーブ部１５−１−１〜１５−１−１２、１５−２−１〜１５−２−１２、図９のユーザデインターリーブ部３２、サブチャネルデインターリーブ部３３−１〜３３−１２の機能又はこれらの機能の一部を実現するためのプログラムをコンピュータ読み取り可能な記録媒体に記録して、この記録媒体に記録されたプログラムをコンピュータシステムに読み込ませ、実行することにより無線送信装置１ａ、無線受信装置２の制御を行ってもよい。なお、ここでいう「コンピュータシステム」とは、ＯＳや周辺機器等のハードウェアを含むものとする。
【００８７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８８】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００８９】
【図１】本発明の第１の実施形態による無線送信装置１ａの構成の一例を示すブロック図である。
【図２】本発明の第１の実施形態による無線送信装置から送信する信号の構成の一例を示す図である。
【図３】本発明の第１の実施形態によるユーザインターリーブ部１４−１、１４−２（図１）の処理の一例を示すフローチャートである。
【図４】３台の端末Ａ、Ｂ、Ｃに対して、同一の時間スロットを使用して信号を送信する場合のインターリーブの処理の一例を示す図である。
【図５】端末Ｂ、端末Ｃのユーザインターリーブ処理の一例を示す図である。
【図６】本発明の第１の実施形態による無線受信装置が受信する信号の一例を示す図である。
【図７】本発明の第１の実施形態によるサブチャネルインターリーブ部１５−１−１〜１５−１−１２、１５−２−１〜１５−２−１２（図１）の処理の一例を示すフローチャートである。
【図８】端末Ａについて、本実施形態によるサブチャネルインターリーブ部１５−１−１〜１５−１−１２、１５−２−１〜１５−２−１２の処理の一例を示す図である。
【図９】本発明の第１の実施形態による無線受信装置２の構成の一例を示すブロック図である。
【図１０】本発明の第１の実施形態による無線送信装置１ａである端末Ａと無線受信装置２を備える無線送受信システムを利用した場合の効果を説明するための図である。
【図１１】本発明の第１の実施形態による無線送信装置１ａである端末Ｂと無線受信装置２を備える無線送受信システムを利用した場合の効果を説明するための図である。
【図１２】本発明の第１の実施形態による無線送信装置１ａである端末Ｃと無線受信装置２を備える無線送受信システムを利用した場合の効果を説明するための図である。
【図１３】本発明の第３の実施形態による無線送信装置１ａ’の構成の一例を示すブロック図である。
【図１４】本発明の第３の実施形態によるサブキャリアインターリーブ部１０２−１〜１０２−４８の動作について説明するための図である。
【図１５】本発明の第４の実施形態による無線送信装置１ａ’’の構成の一例を示すブロック図である。
【図１６】本発明の第４の実施形態によるユーザインターリーブ部１０４−１〜１０４−２４の動作について説明するための図である。
【図１７】従来から使用されているマルチキャリア方式により信号を送受信する無線送信装置１ｂの構成を示すブロック図である。
【符号の説明】
【００９０】
１ａ、１ｂ・・・無線送信装置、２・・・無線受信装置、１０−１〜１０−Ｕ・・・誤り訂正符号部、１１・・・スケジューラ部、１２−１〜１２−１２・・・マッピング部、１３−１−１〜１３−１−１２、１３−２−１〜１３−２−１２・・・位相回転部、１４−１・・・ユーザインターリーブ部、１５−１−１〜１５−１−１２、１５−２−１〜１５−２−１２・・・サブチャネルインターリーブ部、１６−１、１６−２・・・ＩＦＦＴ部、１７−１、１７−２・・・Ｐ／Ｓ変換部、１８−１、１８−２・・・ＧＩ挿入部、１９−１、１９−２・・・Ｄ／Ａ変換部、２０−１、２０−２・・・ＲＦ部、２１−１、２１−２・・・送信アンテナ、３０・・・誤り訂正復号部、３１−１〜３１−１２・・・デマッピング部、３２・・・ユーザデインターリーブ部、３３−１〜３３−１２・・・サブチャネルデインターリーブ部、３４・・・ＦＦＴ部、３５・・・Ｓ／Ｐ変換部、３６・・・シンボル同期部、３７・・・Ａ／Ｄ変換部、３８・・・ＲＦ部、３９・・・受信アンテナ、５０−１〜５０−Ｕ・・・誤り訂正符号部、５１・・・スケジューラ部、５２−１〜５２−１２・・・マッピング部、５３・・・インターリーブ部、５４・・・ＩＦＦＴ部、５５・・・Ｐ／Ｓ変換部、５６−１、５６−２・・・回転部、５７−１、５７−２・・・ＧＩ挿入部、５８−１、５８−２・・・Ｄ／Ａ変換部、５９−１、５９−２・・・ＲＦ部、６０−１、６０−２・・・送信アンテナ、１０１・・・送信データ生成部、１０２−１〜１０２−４８・・・サブキャリアインターリーブ部、１０３−１−１〜１０３−１−１９２、１０３−２−１〜１０３−２−１９２・・・位相回転部、１０４−１、１０４−２・・・ユーザインターリーブ部
【図１】
2007228547.tif 000009
【図２】
2007228547.tif 000010
【図３】
2007228547.tif 000011
【図４】
2007228547.tif 000012
【図５】
2007228547.tif 000013
【図６】
2007228547.tif 000014
【図７】
2007228547.tif 000015
【図８】
2007228547.tif 000016
【図９】
2007228547.tif 000017
【図１０】
2007228547.tif 000018
【図１１】
2007228547.tif 000019
【図１２】
2007228547.tif 000020
【図１３】
2007228547.tif 000021
【図１４】
2007228547.tif 000022
【図１５】
2007228547.tif 000023
【図１６】
2007228547.tif 000024
【図１７】
2007228547.tif 000025